(57)【要約】【課題】展開ローラ対のたわみを抑制する。【解決手段】展開ローラ対１３は、展開ローラ２０と展開ローラ２１とからなる。ローラ本体２０ａ，２１ａは、インスタントフイルム１２を挟持押圧し、現像液をインスタントフイルム１２の感光層に均一に展開する。連結軸２０ｂ，２１ｂは、駆動ギア２４，２５と連結する。連結軸２０ｂ，２１ｂは合成樹脂で形成される。駆動ギア２４，２５が展開ローラ対１３に与える回転駆動により、連結軸２０ｂ，２１ｂがたわむ。連結軸２０ｂ，２１ｂのたわみは、これら連結軸２０ｂ，２１ｂのみで完結し、ローラ本体２０ａ，２１ａ側に伝達されることはない。【選択図】図３
2007108303.tif 000002
【特許請求の範囲】
【請求項１】
インスタントフイルムを挟持押圧して現像液を展開する１対の展開ローラと、この展開ローラの一方の軸端部に設けられ、前記展開ローラに駆動を伝達する伝達部材とを備えたインスタントフイルム用現像液展開装置において、
前記展開ローラの軸端部と前記伝達部材との間に設けられ、前記伝達部材への回転力の伝達により生じる前記展開ローラのローラ本体部のたわみを抑制するたわみ抑制部材を有することを特徴とするインスタントフイルム用現像液展開装置。
【請求項２】
前記たわみ抑制部材は、一端部に前記伝達部材が取り付けられ、他端部に前記展開ローラの軸端部が接続される合成樹脂製の連結部材であることを特徴とする請求項１記載のインスタントフイルム用現像液展開装置。
【請求項３】
前記たわみ抑制部材は、前記展開ローラの一端部から延設されて前記伝達部材が取り付けられる連結軸と、この連結軸を前記展開ローラの軸芯と一致させて直線状に保持するたわみ規制部材とから構成されることを特徴とする請求項１記載のインスタントフイルム用現像液展開装置。
【請求項４】
前記たわみ抑制部材は、前記展開ローラの一端部から延設されて前記伝達部材が取り付けられる１対の連結軸と、この１対の連結軸を平行に保持するたわみ規制部材とから構成されることを特徴とする請求項１または３記載のインスタントフイルム用現像液展開装置。
【発明の詳細な説明】
【技術分野】
【０００１】
本発明は、インスタントフイルム用現像液展開装置に関する。
【背景技術】
【０００２】
インスタントフイルムを使用するカメラやプリンタが各種販売されている。インスタントフイルムは、表面側が露光面になるカバーシートと、このカバーシートの裏面側に対面して配置されたベースシートと、これらカバーシート及びベースシートの間に設けられた感光層及び受像層と、現像液ポッド等とからなる。
【０００３】
インスタントフイルムは、複数枚が箱形状のケースに収められた状態でフイルムパックとして販売されており、カメラやプリンタにはフイルムパックごと装填される。このインスタントフイルムを使用するカメラやプリンタには、インスタントフイルムの感光層に被写体光を露光した後に、露光済みのインスタントフイルムを機器外に排出し、その途中で現像液ポッド内の現像液を感光層上に展開する一対の展開ローラを備えた現像液展開装置が組み込まれている。
【０００４】
高品質なプリントを得るためには、現像液をインスタントフイルムの感光層に均一に展開することが必要であり、これまで、現像液を展開する展開ローラ対には、様々な工夫がなされてきた。例えば、特許文献１では、外枠シート型のインスタントフイルムを用いた場合に、展開ローラ対のうちの一方の展開ローラの両端部に、その展開ローラの直径よりも細い細径部を設けることによって、外枠シートに阻害されずにインスタントフイルムを押圧して現像液を展開できるようにした展開ローラ対が示されている。
【特許文献１】特開２０００−８９４３９号公報
【発明の開示】
【発明が解決しようとする課題】
【０００５】
ところで、図６（Ａ）に示すように、インスタントフイルム１００の現像液を展開するための展開ローラ対１０１は、両端部が軸受部１０２によって回転自在に受けられた２本の展開ローラ１０３，１０４から構成されている。これら展開ローラ１０３，１０４の内、下方の展開ローラ１０３は軸受１０２により水平に機枠に取り付けられている。また、上方の展開ローラ１０４は、鉛直方向で移動自在に例えば長孔によって保持されており、バネ１０５によって、下方に付勢されている。このバネ付勢により、ローラ本体同士の隙間が一定間隔になるように設定されている。また、バネ付勢によってインスタントフイルム１００が厚み方向で押圧され、現像液が展開される。
【０００６】
（Ｂ）に示すように、展開ローラ１０３，１０４は、駆動ギア１０６，１０７及び中間ギア１０８，１０９によって同期して回転するように構成されている。中間ギア１０８には、駆動モータ１１０から減速ギアトレイン１１１を介して駆動が伝達され、各展開ローラ１０３，１０４が同期して回転する。この回転時には、駆動ギア１０６，１０７及び中間ギア１０８，１０９の噛み合いによって駆動ギア１０６，１０７とローラ本体１０３ａ，１０４ａとを繋ぐ連結軸部１０３ｂ，１０４ｂがたわみ、このたわみがローラ本体１０３ａ，１０４ａに伝達し、例えば（Ｃ）に示すように、ローラ本体１０３ａ，１０４ａの変形となって現れる。なお、（Ｃ）のたわみによる変形例は変形状態が判りやすいように誇張して描かれている。また、上方の展開ローラ１０４が長孔を介してバネ付勢されているため、よりたわみ変形を受けやすい。このようなローラ本体１０３ａ，１０４ａの変形を阻止するためには、展開ローラ１０３，１０４自体の剛性を上げる必要があり、例えばローラ本体１０３ａ，１０４ａや連結軸部１０３ｂ，１０４ｂが太くなったりして、低コスト化の障害となるという問題がある。
【０００７】
本発明は、上記課題を解決するためになされたものであり、展開ローラ対の駆動トルクによって発生する、フイルムを左右均一に押圧するのを妨げる力が、展開ローラ対のローラ本体へ及ばないようにしたインスタントフイルム用現像液展開装置を提供することを目的とする。
【課題を解決するための手段】
【０００８】
上記課題を解決するために、本発明は、インスタントフイルムを挟持押圧して現像液を展開する１対の展開ローラと、この展開ローラの一方の軸端部に設けられ、前記展開ローラに駆動を伝達する伝達部材とを備えたインスタントフイルム用現像液展開装置において、前記展開ローラの軸端部と前記伝達部材との間に設けられ、前記伝達部材への回転力の伝達により生じる前記展開ローラのローラ本体部のたわみを抑制するたわみ抑制部材を有することを特徴とする。
【０００９】
前記たわみ抑制部材は、一端部に前記伝達部材が取り付けられ、他端部に前記展開ローラの軸端部が接続される合成樹脂製の連結部材であることが好ましい。
【００１０】
前記たわみ抑制部材は、前記展開ローラの一端部から延設されて前記伝達部材が取り付けられる連結軸と、この連結軸を前記展開ローラの軸芯と一致させて直線状に保持するたわみ規制部材とから構成されることが好ましい。
【００１１】
前記たわみ抑制部材は、前記展開ローラの一端部から延設されて前記伝達部材が取り付けられる１対の連結軸と、この１対の連結軸を平行に保持するたわみ規制部材とから構成されることが好ましい。
【発明の効果】
【００１２】
本発明によれば、インスタントフイルムを挟持押圧して現像液を展開する１対の展開ローラと、この展開ローラの一方の軸端部に設けられ、前記展開ローラに駆動を伝達する伝達部材とを備えたインスタントフイルム用現像液展開装置において、前記展開ローラの軸端部と前記伝達部材との間に設けられ、前記伝達部材への回転力の伝達により生じる前記展開ローラのローラ本体部のたわみを抑制するたわみ抑制部材を有することにより、展開ローラ対のローラ本体部の形状を、左右均一に近づけることができる。これにより、現像液を均一に展開することができ、高品質なプリントを得ることができる。
【発明を実施するための最良の形態】
【００１３】
図１は、本発明の実施形態の１つである、インスタントフイルムの現像液展開装置を組み込んだ感光記録装置を示している。感光記録装置２は、その本体ケース３内に光源部４、光源部４からの光を略平行とするための多孔板５、記録すべき画像を表示するＬＣＤ（液晶ディスプレイ）６、補正板７等とからなる。また、本体ケース３には、パック装填蓋８が設けられている。パック装填蓋８を開放することにより、本体ケース３内のパック装填室にフイルムパック９を装填できる。
【００１４】
フイルムパック９は、プラスチック製のケース１１と、このケース内に積層して収納された複数枚、例えば１０枚程度の感光記録材料としてのインスタントフイルム１２とからなる。ケース１１には、最上層のインスタントフイルム１２の露光面１２ａを露呈する露光開口１１ａが設けられており、この露光開口１１ａを介して露光面１２ａに露光が与えられる。インスタントフイルム１２は、露光面１２ａの他に、この露光面１２ａの反対側の面に設けられてポジ画像が形成されるポジ像形成面１２ｂ、現像液を封入した現像液ポッド１２ｃ等からなる。
【００１５】
最上層のインスタントフイルム１２に露光が完了すると、図示しないクロー機構によって、そのインスタントフイルム１２がケース１１から押し出されて、展開ローラ対１３に送り込まれる。送り込まれたインスタントフイルム１２は、展開ローラ対１３の回転によって、排出口３ａから排出されるとともに、現像液ポッド１２ｃ内の現像液がインスタントフイルム１２の内部に展開される。これにより、排出から１分〜数分後にインスタントフイルム１２に画像が現れる。
【００１６】
インスタントフイルム１２の露光面１２ａに対向するように補正板７が配され、その上層にＬＣＤ６、多孔板５、光源部４が順番に配されており、これらによってインスタントフイルム１２に露光を行う露光ユニットが構成されている。
【００１７】
光源部４は、ＬＥＤ１５〜１７と、ＬＣＤ６の表示画面とほぼ同一のサイズの発光面（光射出面）１８ａを有する導光板１８とからなる。ＬＥＤ１５〜１７は、ＬＣＤ６の照明光を得るものであり、ＬＥＤ１５は赤色光を、ＬＥＤ１６は緑色光を、ＬＥＤ１７は青色光をそれぞれ出力する。ＬＥＤ１５〜１７の光は、導光版に入射し、その内部で反射されることによって発光面１８ａから均一に拡散されて照明光として射出される。
【００１８】
光源部４としては、各種のものを用いることができる。例えば、３色のＬＥＤを用いる代わりに白色光を出力するＬＥＤを用いたり、その他ランプ等を用いることもできる。また、面発光する有機ＥＬを用いることもできる。さらに、必ずしもＬＣＤ６の前面を同時に照明する必要はなく、ＬＣＤ６の表面を走査できる光源装置を用いて照明してもよい。
【００１９】
多孔板５は、光源部４からの照明光を略平行光とするためのものであり、前述のように光源部４とＬＣＤ６との間に配置されている。多孔板５は、ＬＣＤ６とほぼ同じサイズの矩形の板部材に、多数の貫通孔（図示しない）が所定ピッチで設けられている。この貫通孔には、光源部４からの照明光がさまざまな角度で入射し、入射した照明光のうち貫通孔の軸芯と平行あるいはほぼ平行に入射した光はＬＣＤ６側に射出され、それ以外の光は貫通孔の内面で反射されることによって、減衰・消滅する。このようにして、多孔板５によって略平行光が得られる。
【００２０】
透過型の画像表示手段としてのＬＣＤ６は、駆動回路（図示しない）によって駆動され、記録すべきカラー画像を表示する。このＬＣＤ６は、例えばセグメントが１／２０〜１／３０ｍｍのピッチで形成されたものが用いられており、多孔板５から射出される照明光の光束で複数のセグメントが照明される。
【００２１】
ＬＣＤ６としては、各種の液晶表示モード、駆動方式のものを用いることができる。また、カラー表示を行う場合のカラーフィルターについても、ストライプ配列、モザイク配列、デルタ配列等の各種のものを利用することができる。さらに、透過型の画像表示手段としては、供給される画像データあるいはアナログ信号に応じて表示画面を透過像として表示するものもあれば、ＬＣＤに限らず各種のものを利用することができる。
【００２２】
図２（Ａ）に示すように、展開ローラ対１３は、下方に配置されている展開ローラ２０と、上方に配置されている展開ローラ２１とから構成されている。これら展開ローラ２０，２１は、図６に示す展開ローラ対１０１と同様に、展開ローラ２０が軸受１８により機枠に水平に軸架されており、展開ローラ２１が長い長孔によって鉛直方向に昇降自在に取り付けられている。そして、展開ローラ２１はコイルバネ２６によって下方に向けてバネ付勢されている。
【００２３】
また、各展開ローラ２０，２１は、ローラ本体２０ａ，２１ａと、これらローラ本体２０ａ，２１ａの一方の軸端部に取り付けられる連結軸２０ｂ，２１ｂとから構成される。そして、（Ｂ）に示すように、各展開ローラ２０，２１は、駆動ギア２４，２５及び中間ギア２６，２７によって同期して回転するように構成されている。駆動ギア２４，２５は、連結軸２０ｂ，２１ｂを介してローラ本体２０ａ，２１ａと連結する。中間ギア２６には、駆動モータ２８から減速ギアトレイン２９を介して駆動が伝達され、各展開ローラ２０，２１が同期して回転する。
【００２４】
図３（Ａ）に示すように、下方の連結軸２０ｂは、ローラ本体２０ａに連結キー軸部２０ｃを介して連結されている。同様にして上方の連結軸２１ｂも、ローラ本体２１ａに連結キー軸部２１ｃを介して連結されている。連結キー軸部２０ｃ，２１ｃは、スリップすることなく回転を伝達することができるように、矩形軸から構成されている。なお、矩形軸に代えて通常の丸軸にイモネジで固定したものであってもよいし、丸軸の周面に平らなキー面を形成したものであってもよい。
【００２５】
これら連結軸２０ｂ，２１ｂは、ＰＯＭ（ポリオキシメチレン）等の合成樹脂から構成されており、（Ｂ）に示すように、駆動ギア２４，２５による駆動トルクによって発生するたわみが、この連結軸２０ｂ，２１ｂのみで完結し、ローラ本体２０ａ，２１ａ側に伝達されることがなくなる。したがって、ローラ本体同士の隙間が略均一に保たれるため、現像液が均一に展開される。
【００２６】
次に、上記構成の作用について説明する。メモリ（図示しない）に記憶された画像データに基づいて、まず、ＬＣＤ６に画像を表示する。そして、ＬＥＤ１５〜１７が同時に点灯される。なお、ＬＥＤ１５〜１７を順番に点灯させて３色面順次で露光を行ってもよい。
【００２７】
ＬＥＤ１５〜１７からの光が導光板１８に入射し、その発光面１８ａから照明光として多孔板５に照射される。照明光は、多孔板５の貫通孔（図示しない）によって略平行光とされて射出される多数の光束が照明光としてＬＣＤ６に照射される。照明光は、ＬＣＤ６に照射されることによって、そのＬＣＤ６に表示中のカラーの画像に応じた３色の記録光に変換される。そして、この記録光は補正板７の有する補正レンズ（図示しない）に入射する。そして、この補正レンズにより、隣接する光束と露光面１２ａ上で接するように、記録光の各光束の径が広げられて露光面１２ａに照射され、インスタントフイルム１２に露光を与える。
【００２８】
インスタントフイルム１２のフイルム感度、光源部４の光強度、多孔板５やＬＣＤ６による光の減衰等を考慮して適性露光が得られるように予め決められた時間が経過すると、ＬＥＤが消灯される。
【００２９】
上記のようにして露光が完了した後に、展開ローラ対１３の回転が開始されるとともに、クロー機構（図示しない）によって露光済みのインスタントフイルム１２が展開ローラ対１３に向けてケース１１から押し出される。押し出されたインスタントフイルム１２は、展開ローラ対１３の回転によって搬送され、排出口３ａから排出し、同時に現像液の展開が行われる。そして、１分〜数分が経過するとカラー画像が現れる。
【００３０】
なお、本実施形態では、中間ギアを介してモータの駆動を連結軸に伝達したが、これに代えて、駆動ギアに直接にモータの駆動を直接に伝達してもよい。さらには、下方の展開ローラの他方の軸端部に駆動ギアを設けて、この駆動ギアを介して、モータの駆動を伝達してもよい。この場合には、中間ギアを介して、下方の展開ローラの回転を上方の展開ローラに伝達する。
【００３１】
また、たわみ抑制部材としては連結軸平行保持板、例えばスペーサや拡開規制板が挙げられる。図４（Ａ）に示すように、ローラ本体４０ａ，４１ａとこれらローラ本体４０ａ，４１ａの一方の軸端部に設けられた連結軸４０ｂ，４１ｂとからなる展開ローラ４０，４１で構成される展開ローラ対１３において、スペーサ３０は、連結軸４０ｂ，４１ｂをたわみで接近することがないように連結軸４０ｂ，４１ｂを平行に保持する。ここで、図２と同様に、下方に配置される展開ローラ４０は軸受１８により、機枠に水平に軸架されており、上方に配置される展開ローラ４１は、鉛直方向に昇降自在に取り付けられており、コイルバネ２６によって下方に向けてバネ付勢されている。また、駆動ギア４２，４３は、前記連結軸４０ｂ，４１ｂを介して前記ローラ本体４０ａ，４１ａと連結する。
【００３２】
（Ｂ）に示すように、スペーサ３０は、その寸法Ｌ１が、
Ｌ１＝（（Ｄ１−Ｄ３）＋（Ｄ２−Ｄ４））／２＋ｔ
となるものが用いられる。ここで、Ｄ１はローラ本体４１ａの直径を、Ｄ２はローラ本体４０ａの直径を、Ｄ３は連結軸４１ｂの直径を、Ｄ４は連結軸４０ｂの直径を、ｔはインスタントフイルム１２の厚み幅を示している。スペーサを用いない場合には、回転駆動によって、連結軸４０ｂ，４１ｂの軸間距離に１００μｍ程度の変動が生ずるが、スペーサ３０を用いた場合には、１０μｍ程度の変動に抑えることが可能となる。よって、連結軸４０ｂ，４１ｂの軸間距離の変動を抑えることで、ローラ本体４０ａ，４１ａの軸間距離の変動も抑えることができる。したがって、ローラ本体同士の隙間が略均一に保たれるため、現像液が均一に展開できる。
【００３３】
図５（A）のB−B横断面図である（B）に示すように、拡開規制板３１には長孔が形成されており、この長孔によって上下の連結軸４０ｂ，４１ｂがたわみによって離間することのないように平行に保持する。ここで、図４と同じものには同じ符号を付してある。拡開規制板３１は、その寸法Ｌ２が、
Ｌ２＝（（Ｄ１＋Ｄ３）＋（Ｄ２＋Ｄ４））／２＋ｔ
となるものが用いられる。上記スペーサ３０と同様に、拡開規制板３１を用いることによって、連結軸４０ｂ，４１ｂの軸間距離及びローラ本体４０ａ，４１ａの軸間距離の変動を抑えることができる。これにより、ローラ本体同士の隙間が略均一に保たれるため、現像液が均一に展開できる。
【００３４】
また、スペーサ３０及び拡開規制板３１は、金属で形成される展開ローラ対１３との摺動性を考慮して、合成樹脂、例えばPOM（ポリオキシメチレン）等で形成されることが好ましい。
【００３５】
なお、上記実施形態では、図４及び図５に示すように、ローラ本体４０ａ，４１ａの一方の軸端部に取り付けられた連結軸４０ｂ，４１ｂを、スペーサ３０または拡開規制板３１によって、ローラ本体４０ａ，４１ａの軸芯ＣＬ１，ＣＬ２に一致するように直線状に保持するようにしたが、これらスペーサまたは拡開規制板は、各連結軸４０ｂ，４１ｂに対して個別に設けるようにしてもよい。
【図面の簡単な説明】
【００３６】
【図１】本発明の実施形態の一つである、インスタントフイルム用現像液展開装置を備えた感光記録装置の要部構成を示す図である。
【図２】本発明に係る展開ローラ対を示しており、（A）は正面図であり、（B）はB−B線に沿う横断面図である。
【図３】合成樹脂で形成された連結軸を示す正面図であり、（A）は展開ローラ対に回転駆動が与えられていない状態を、（B）は展開ローラ対に回転駆動が与えられた状態を示している。
【図４】連結軸の間に設けられたスペーサを示しており、（A）は正面図であり、（B）はB−B線に沿う横断面図である。
【図５】連結軸を平行に回転自在に保持する拡開規制板を示しており、（A）は正面図であり、（B）はB−B線に沿う横断面図である。
【図６】従来の展開ローラ対を示す正面図であり、（A）は展開ローラ対に回転駆動が与えられていない状態を示しており、（B）はB−B線に沿う横断面図であり、（C）は展開ローラ対に回転駆動が与えられた状態を示している。
【符号の説明】
【００３７】
２  感光記録装置
１２  インスタントフイルム
１２ｃ  現像液ポッド
１３  展開ローラ対
２０  展開ローラ
２０ａ  ローラ本体
２０ｂ  連結軸
２１  展開ローラ
２１ａ  ローラ本体
２１ｂ  連結軸
２４  駆動ギア
２５  駆動ギア
３０  スペーサ
３１  拡開規制板
【図１】
2007108303.tif 000003
【図２】
2007108303.tif 000004
【図３】
2007108303.tif 000005
【図４】
2007108303.tif 000006
【図５】
2007108303.tif 000007
【図６】
2007108303.tif 000008